(57)【特許請求の範囲】
【請求項１】
ラックマウント電子デバイス用の貯蔵ユニットであって、
開くことができるハウジングと、
ハウジング内に取り付けられ、１つ以上のラックマウント電子デバイスを前記ハウジング内に受入れかつ保持するための装着システムとを有し、
前記装着システムは、互いにヒンジ運動できるように相互連結された２つ以上のヒンジコンポーネントの連鎖を含み、連鎖のうちの隣接するヒンジコンポーネントの対の各々は、共通のピボット軸線の回りにピボット回転可能なように連結されており、前記ピボット軸線の回りでヒンジ運動できるヒンジ組立体と、
ヒンジ組立体によって解放可能に支持された２つ以上のモジュラブラケットのセットを有し、２つ以上のモジュラブラケットは、各々の前記ブラケットへのアクセスを可能にするために、ヒンジ組立体のピボット軸線回りに、互いにヒンジ運動できるように形成され、各々の前記ブラケットは、ラックマウント電子デバイスの前記ブラケット内へのスライド可能な係合を介して、特定の寸法の１つ以上のラックマウント電子デバイスを解放可能に受入れ、かつ保持できるように構成され、寸法決めされており、
前記ブラケットは、前記ブラケットをヒンジ組立体上で支持するために、前記ブラケットをヒンジ組立体の１つ以上のヒンジコンポーネントに解放可能に連結するアタッチメント部分を備えることを特徴とする貯蔵ユニット。
【請求項２】
各々の前記ブラケットは、反対側の端に形成された前端ガイド及び後端ガイドを有する裏当て板を備えており、前端ガイド及び後端ガイドは、電子デバイスが裏当て板に対して確実に保持される位置にスライド案内するように構成されていることを特徴とする請求項１記載の貯蔵ユニット。
【請求項３】
各々の前記ブラケットの後端ガイドは、前記ブラケットをヒンジ組立体のヒンジコンポーネントに解放可能に係合するアタッチメント部分として機能することを特徴とする請求項２記載の貯蔵ユニット。
【請求項４】
各々の前記ブラケットのアタッチメント部分は、前記ブラケットをヒンジ組立体に解放可能に係合するために、ヒンジ組立体のヒンジコンポーネントとスライド係合するように構成されていることを特徴とする請求項２記載の貯蔵ユニット。
【請求項５】
各々のヒンジコンポーネントは、細長く、ヒンジコンポーネントから延びる補完的シリンダを備えており、ヒンジ組立体のヒンジコンポーネントの連鎖の隣接するヒンジコンポーネントの各対は、隣接するヒンジコンポーネントの補完的シリンダを一列に配列させ、一列に配列させた前記補完的シリンダ内に、連結ピボットロッドを設け、一対のヒンジコンポーネントのためのピボット軸を形成することにより、ピボット回転可能に連結されていることを特徴とする請求項１から４の何れか１項に記載の貯蔵ユニット。
【請求項６】
ヒンジ組立体は前記ブラケットを片持ち支持態様で支持するように構成され、これにより、各々の前記ブラケットは、隣接する前記ブラケットに対して当接関係をなすようにヒンジ運動でき、または、隣接する前記ブラケットとの当接関係から離れる方向にヒンジ運動して、前記ブラケットへのアクセスを可能にすることを特徴とする請求項１から５の何れか１項に記載の貯蔵ユニット。
【請求項７】
全ての前記ブラケットは、貯蔵ユニットが同じ大きさのラックマウント電子デバイスを受入れ、保持するように、同じ大きさである、請求項１から６の何れか１項に記載の貯蔵ユニット。
【請求項８】
異なる大きさのラックマウント電子デバイスを受入れ、保持できるように、異なる大きさの少なくとも２つの前記ブラケットを備える、請求項１から６の何れか１項に記載の貯蔵ユニット。
【請求項９】
各々の前記ブラケットは、特定Ｕサイズの１つ以上の１９インチラックマウント電子デバイスを受入れかつ保持するように構成され、寸法決めされており、
各々の前記ブラケットは、ヒンジ組立体の隣接するヒンジコンポーネントのいずれか１つまたは多くに対して解放可能に連結されており、各々の前記ブラケットと解放可能に連結するために必要なヒンジコンポーネントの数は、前記ブラケットのＵサイズの数に等しいことを特徴とする請求項１から８の何れか１項に記載の貯蔵ユニット。
【請求項１０】
支持するための多くの隣接するヒンジ組立体のヒンジコンポーネントを必要とする大きい前記ブラケットは、これらの隣接するヒンジコンポーネントを一体に連結して、隣接するヒンジコンポーネントが相対的にヒンジ運動することを防止し、大きい前記ブラケット用の大きいヒンジコンポーネントを集合形成することを特徴とする請求項９に記載の貯蔵ユニット。
【請求項１１】
各々の前記ブラケットには操作可能なロッキング機構が設けられており、前記ロッキング機構は、隣接する前記ブラケットの同様なロッキング機構と協働して前記ブラケットを一体にロックし、これらの前記ブラケットの相対ヒンジ運動を防止するように構成されていることを特徴とする請求項１から１０のいずれか１項記載の貯蔵ユニット。
【請求項１２】
前記ハウジングは、ベース板と、前記ベース板の両端部のヒンジ機構を介して前記ベース板にヒンジ連結された２つの開くことができる対向するドアとを有しており、
前記ハウジングのドアは、両ドアが閉位置と開位置との間で移動できるようにヒンジ連結されており、これにより、両ドアが閉位置にあるとき、前記装着システムおよび装着された全ての電子デバイスが前記ハウジング内に包囲され、かつ、両ドアが開位置にあるとき、前記装着システムおよび全ての電子デバイスが露出されかつアクセス可能になることを特徴とする請求項１から１１のいずれか１項記載の貯蔵ユニット。
【請求項１３】
前記ハウジング内の温度を制御するための温度制御システムを更に有し、
前記温度制御システムは、１つ以上の操作可能なファンを備えた一体形冷却システムを有し、前記ファンは、前記ハウジング、および、前記ハウジングの関連ベントを通る通気空気流を発生するように構成されていることを特徴とする請求項１から１２のいずれか１項記載の貯蔵ユニット。
【請求項１４】
前記ハウジング内の温度を制御するための温度制御システムを更に有し、
前記温度制御システムは外部空調システムを有し、前記外部空調システムは、空調された空気流を供給して１つ以上の環境パラメータ、および、前記ハウジングの内部環境内の状態を制御すべく前記ハウジングに連結されるように構成されていることを特徴とする請求項１から１３のいずれか１項記載の貯蔵ユニット。
【請求項１５】
前記温度制御システムはモニタリングセンサを有し、前記モニタリングセンサは、前記ハウジングの内部環境内の特定環境パラメータを測定するように構成されており、前記温度制御システムは、測定されたパラメータに応答して前記ハウジング内の温度を制御するように構成されていることを特徴とする請求項１３または１４記載の貯蔵ユニット。
【請求項１６】
前記ハウジングは、壁または他の垂直面またはフレームに固定されるように構成された壁マウントブラケットに着脱可能に固定できることを特徴とする請求項１から１５のいずれか１項記載の貯蔵ユニット。
【請求項１７】
ラックマウント電子デバイス用の貯蔵組立体であって、
１つ以上のラックマウント電子デバイスを受入れかつ保持するための装着システムを有し、
前記装着システムは、互いにヒンジ運動できるように相互連結された２つ以上のヒンジコンポーネントの連鎖を含み、連鎖のうちの隣接するヒンジコンポーネントの対の各々は、共通のピボット軸線の回りにピボット回転可能なように連結されており、前記ピボット軸線の回りでヒンジ運動できるヒンジ組立体と、
ヒンジ組立体によって解放可能に支持された２つ以上のモジュラブラケットのセットを有し、２つ以上のモジュラブラケットは、各々の前記ブラケットへのアクセスを可能にするために、ヒンジ組立体のピボット軸線回りに、互いにヒンジ運動できるように形成され、各々の前記ブラケットは、ラックマウント電子デバイスの前記ブラケット内へのスライド可能な係合を介して、特定の寸法の１つ以上のラックマウント電子デバイスを解放可能に受入れ、かつ保持できるように構成され、寸法決めされており、
前記ブラケットは、前記ブラケットをヒンジ組立体上で支持するために、前記ブラケットをヒンジ組立体の１つ以上のヒンジコンポーネントに解放可能に連結するアタッチメント部分を備えることを特徴とする電子デバイス用貯蔵組立体。
【請求項１８】
各々のヒンジコンポーネントは、細長く、ヒンジコンポーネントから延びる補完的シリンダを備えており、ヒンジ組立体のヒンジコンポーネントの連鎖の隣接するヒンジコンポーネントの各対は、隣接するヒンジコンポーネントの補完的シリンダを一列に配列させ、一列に配列させた前記補完的シリンダ内に、連結ピボットロッドを設け、一対のヒンジコンポーネントのためのピボット軸を形成することにより、ピボット回転可能に連結されていることを特徴とする請求項１７に記載の貯蔵組立体。
【請求項１９】
前記ヒンジ組立体は前記ブラケットを片持ち支持態様で支持するように構成され、これにより、各々の前記ブラケットは、隣接する前記ブラケットに対して当接関係をなすようにヒンジ運動でき、または、隣接する前記ブラケットとの当接関係から離れる方向にヒンジ運動して、前記ブラケットへのアクセスを可能にすることを特徴とする請求項１７または１８項記載の貯蔵組立体。
【請求項２０】
全ての前記ブラケットは、貯蔵ユニットが同じ大きさのラックマウント電子デバイスを受入れ、保持するように、同じ大きさである、請求項１７から１９の何れか１項に記載の貯蔵ユニット。
【請求項２１】
異なる大きさのラックマウント電子デバイスを受入れ、保持できるように、異なる大きさの少なくとも２つの前記ブラケットを備える、請求項１７から２０の何れか１項に記載の貯蔵ユニット。
【請求項２２】
各々の前記ブラケットは、特定Ｕサイズの１つ以上の１９インチラックマウント電子デバイスを受入れかつ保持するように構成され、寸法決めされており、
各々の前記ブラケットは、ヒンジ組立体の隣接するヒンジコンポーネントのいずれか１つまたは多くに対して解放可能に連結されており、各々の前記ブラケットと解放可能に連結するために必要なヒンジコンポーネントの数は、前記ブラケットのＵサイズの数に等しいことを特徴とする請求項１７から２１の何れか１項に記載の貯蔵組立体。
【請求項２３】
支持するための多くの隣接するヒンジ組立体のヒンジコンポーネントを必要とする大きい前記ブラケットは、これらの隣接するヒンジコンポーネントを一体に連結して、隣接するヒンジコンポーネントが相対的にヒンジ運動することを防止し、大きい前記ブラケット用の大きいヒンジコンポーネントを集合形成することを特徴とする請求項２２に記載の貯蔵組立体。
【発明の詳細な説明】
【技術分野】
【０００１】
本発明は電子デバイス用の貯蔵ユニットに関する。より詳しくは、この貯蔵ユニットは、ラックマウント電子デバイスを収容するのに使用できるが、これに限定されるものではない。
【背景技術】
【０００２】
１９インチラックは、電子デバイスを１９インチ（４８２．６ｍｍ）幅のスタックで装着する標準システムである。１９インチラック内に配置されるように設計された電子機器は、一般に「ラックマウント」機器として説明されている。
【０００３】
１９インチラックは、一般に、高さ１．７５インチ（４４．４５ｍｍ）の垂直領域に分割されている。１．７５インチの各垂直領域は、一般に、「ユニット（unit）」の「Ｕ」として知られている。一般に、ラックマウント機器は、Ｕの整数倍（integral number）の高さを用いて設計される。例えば、ラックマウントコンピュータは、一般に、高さが１Ｕまたは２Ｕである。また、ラックマウントコンピュータは一般に、約１７．７５インチ（４５０．８５ｍｍ）の幅を有し、可変の標準長さで利用できる。
【０００４】
１９インチラックは、一般に、２つの平行な金属アップライト（支柱）を有し、前記アップライトは０．６２５インチ（１５．８７５ｍｍ）の幅を有しかつ１７．７５インチのギャップを隔てて分離され、１９インチの全ラック幅を付与している。アップライトにはこれらの長さ方向に沿う反復装着孔パターンが設けられ、これらの孔パターンは、一般に３つの孔の組を有している。孔パターンは１．７５インチ毎に反復し、かつアップライトを前述のように１Ｕの垂直領域に分割する。
【０００５】
ラックマウント機器は、電子デバイスまたは電子モジュールのフロントパネルを、孔パターン内にロックするボルトを介してラックのアップライトに単にボルト止めすることにより、１９インチラック内に装着できる。より一般的には、正方形孔が設けられたラックが使用されており、これらのラックはボルトレス装着が可能である。また、或る１９インチラックには数対のラックレールが設けられており、前記ラックレールは、各垂直領域のラックアップライトに対して垂直に装着されている。ラックレールによれば、ラックマウント機器がレール上で出入りするようにスライドでき、かつ更なる支持を行うようにラックアップライトにボルト止めすることもできる。ラックレールは電子機器の更なる支持を行い、かつ電子機器を、ラックから完全に取外す必要なくして検査またはメインテナンスのためにラックを避けてスライドさせることができる。
【０００６】
１９インチラックには種々の設計が存在する。或る簡単な設計は、付加支持コンポーネンツを備えた上記の基本的なフレーム構造を有し、他の設計は、例えばドアを備えたより精巧な閉鎖形キャビネットを有するものである。１９インチラックは、例えば、大形モジュラ電気通信システム、コンピュータシステムおよびオーディオ・ビジュアルシステムの電子コンポーネンツを確実に収容すべく、電気通信産業、コンピュータ産業およびエンターテインメント産業を通して広く使用されている。１９インチラックは、一般に、単独でまたは他の同様なラックに隣接させて室内で自立して使用される。
【０００７】
特許明細書、他の外国文献または他の情報源を参照している本願明細書では、参照は、一般に、本発明の特徴を論じる状況を与える目的のためである。特記しない限り、このような外国文献の参照は、このような文献または情報源が、あらゆる権限において、従来技術であるか、当業界の一般的知識の一部を形成することを承認するものであると解釈すべきではない。
【発明の概要】
【発明が解決しようとする課題】
【０００８】
本発明の目的は、ラックマウント電子機器用の代替貯蔵ユニットを提供すること、または少なくとも社会に有効な選択を与えることにある。
【課題を解決するための手段】
【０００９】
第一態様では、本発明は、概していえば電子デバイス用貯蔵ユニットからなり、この電子デバイス用貯蔵ユニットは、開くことができるハウジングと、１つ以上の電子デバイスをハウジング内に受入れかつ保持するための装着システムとを有し、装着システムは２つ以上のブラケットを支持するヒンジ組立体を備え、各ブラケットは、１つ以上の電子デバイスを受入れかつ保持するように構成されかつヒンジ組立体により他の全てのブラケットに対してヒンジ運動でき、これにより、単一または複数の電子デバイスの装着、維持または取出しを行うべくブラケットにアクセスできる。
【００１０】
好ましくは、ヒンジ組立体は、互いにヒンジ運動できるように相互連結された２つ以上の隣接ヒンジコンポーネントの連鎖を含み、各ヒンジコンポーネントは、単独でまたは１つ以上の隣接ヒンジコンポーネントと協働してブラケットを支持するように構成され、これにより、支持されたブラケットを互いにヒンジ運動させることができる。より好ましくは、２つの隣接ヒンジコンポーネントの連鎖の各組が、共通のピボット軸線の回りにピボット回転可能なように連結されており、前記ピボット軸線の回りでヒンジ運動できる。
【００１１】
好ましくは、ヒンジ組立体はブラケットを片持ち支持態様で支持するように構成され、これにより、各ブラケットは、隣接するブラケットに対して当接関係をなすようにヒンジ運動でき、または、隣接するブラケットとの当接関係から離れる方向にヒンジ運動して、前記ブラケットへのアクセスを可能にする。
【００１２】
好ましくは、各ブラケットは、特定のＵサイズの１つ以上のラックマウント電子デバイスを受入れかつ保持するように構成されている。一形態では、各ブラケットは、ヒンジ組立体の隣接するヒンジコンポーネントのいずれか１つまたは多くに対して解放可能に連結されており、必要なヒンジコンポーネントの数は、ブラケットの整数倍のＵサイズに等しい。他の形態では、各ブラケットは、ヒンジ組立体の隣接するヒンジコンポーネントのいずれか１つまたは多くに対して永久的に連結されており、必要なヒンジコンポーネントの数は、ブラケットの整数倍のＵサイズに等しい。より好ましくは、支持するための多くの隣接するヒンジコンポーネントを必要とするブラケットは、これらの隣接ヒンジコンポーネントを一体に連結して、隣接ヒンジコンポーネントが相対的にヒンジ運動することを防止する。
【００１３】
好ましくは、前記ブラケット（単一または複数）は、ヒンジ組立体により片持ち支持態様で支持されている。
【００１４】
好ましくは、各ブラケットには操作可能なロッキング機構が設けられており、ロッキング機構は、隣接ブラケットの同様なロッキング機構と協働してブラケットを一体にロックし、これらのブラケットの相対ヒンジ運動を防止するように構成されている。
【００１５】
好ましくは、ハウジングは、ハウジングを開閉するための１つ以上の開くことができるドアを有する。
【００１６】
好ましくは、ハウジングは、ベース板と、ベース板の両端部のヒンジ機構を介してベース板にヒンジ連結された２つの開くことができる対向ドアとを有している。
【００１７】
好ましくは、ハウジングのドアは、両ドアが閉位置と開位置との間で移動できるようにヒンジ連結されており、これにより、両ドアが閉位置にあるとき、装着システムおよび装着された全ての電子デバイスがハウジング内に包囲され、かつ両ドアが開位置にあるとき、装着システムおよび全ての電子デバイスが露出されかつアクセス可能になる。より好ましくは、ハウジングのドアは、ドアを閉位置にロックすべく操作できる関連ロッキング機構を有している。
【００１８】
好ましくは、装着システムのヒンジ組立体は、ハウジング内で、ハウジングのベース板に固定されている。
【００１９】
好ましくは、貯蔵ユニットは、ハウジング内の温度を制御するための温度制御システムを更に有している。温度制御システムは、ハウジングが閉じられているときのハウジングの内部環境内の１つ以上の環境パラメータまたは状態を制御すべく貯蔵ユニットに連結するように構成された外部空調システムと、外部環境からの大気を用いてハウジングを通る強制通気効果を発生させる一体形冷却システムとを有する。例えば、一体形冷却システムは、ハウジング内に固定された１つ以上のファンを有し、これらのファンは、ハウジングおよびこの関連ベントを通る通気流を発生させるように構成されている。外部空調ユニットは、冷却されすなわち空調された空気をハウジングに導入するマニホルドおよび空調ダクトを介して、ハウジング内に設けられたポートに連結できる。温度制御システムは、内部環境内の特定環境パラメータを測定すべく構成されたモニタリングセンサ、外部空調システムを制御すべく構成された少なくとも制御システムおよびモニタリングセンサにより得られた測定値に応答する一体形冷却システムの少なくとも一方で構成できる。
【００２０】
好ましくは、ハウジングは、貯蔵ユニット内に保持された１つ以上の電子デバイスに通信するように構成されたユーザインターフェースを有している。
【００２１】
好ましくは、ハウジングは、壁または他の垂直面またはフレームに固定されるように構成された壁マウントブラケットに着脱可能に固定できる。
【００２２】
第二態様では、本発明は、概していえば電子デバイス用貯蔵組立体からなり、この電子デバイス用貯蔵組立体は、１つ以上の電子デバイスを受入れかつ保持するための装着システムを有し、装着システムは２つ以上のブラケットを支持するヒンジ組立体を備え、各ブラケットは、１つ以上の電子デバイスを受入れかつ保持するように構成されかつヒンジ組立体により他の全てのブラケットに対してヒンジ運動でき、これにより、単一または複数の電子デバイスの装着、維持または取出しを行うべくブラケットにアクセスできる。
【００２３】
好ましくは、ヒンジ組立体は、互いにヒンジ運動できるように相互連結された２つ以上の隣接ヒンジコンポーネントの連鎖を含み、各ヒンジコンポーネントは、単独でまたは１つ以上の隣接ヒンジコンポーネントと協働してブラケットを支持するように構成され、これにより、支持されたブラケットを互いにヒンジ運動させることができる。より好ましくは、２つの隣接ヒンジコンポーネントの連鎖の各組が、共通のピボット軸線の回りにピボット回転可能なように連結されており、前記ピボット軸線の回りでヒンジ運動できる。
【００２４】
好ましくは、ヒンジ組立体はブラケットを片持ち支持態様で支持するように構成され、これにより、各ブラケットは、隣接ブラケットに対して当接関係をなすようにヒンジ運動でき、または隣接ブラケットとの当接関係から離れる方向にヒンジ運動して、前記ブラケットへのアクセスを可能にする。
【００２５】
好ましくは、各ブラケットは、特定Ｕサイズの１つ以上のラックマウント電子デバイスを受入れかつ保持するように構成されている。一形態では、各ブラケットは、ヒンジ組立体の隣接するヒンジコンポーネントのいずれか１つまたは多くに対して解放可能に連結されており、必要なヒンジコンポーネントの数は、ブラケットの整数倍のＵサイズに等しい。他の形態では、各ブラケットは、ヒンジ組立体の隣接するヒンジコンポーネントのいずれか１つまたは多くに対して永久的に連結されており、必要なヒンジコンポーネントの数は、ブラケットの整数倍のＵサイズに等しい。より好ましくは、支持するための多くの隣接するヒンジコンポーネントを必要とするブラケットは、これらの隣接ヒンジコンポーネントを一体に連結して、隣接ヒンジコンポーネントが相対的にヒンジ運動することを防止する。
【００２６】
好ましくは、単一または複数の前記ブラケットは、ヒンジ組立体により片持ち支持態様で支持されている。
【００２７】
好ましくは、各ブラケットには操作可能なロッキング機構が設けられており、ロッキング機構は、隣接ブラケットの同様なロッキング機構と協働してブラケットを一体にロックし、これらのブラケットの相対ヒンジ運動を防止する。
【００２８】
好ましくは、貯蔵組立体は、装着システムが固定される取付け板を更に有している。
【００２９】
第三態様では、本発明は概していえば電子デバイス用貯蔵ユニットからなり、この電子デバイス用貯蔵ユニットは、開くことができるハウジングと、１つ以上の電子デバイスをハウジング内に受入れかつ保持するための装着システムとを有し、装着システムはヒンジ組立体を備え、ヒンジ組立体は２つ以上の電子デバイスを支持するように構成され、支持された電子デバイスは、ヒンジ組立体により互いにヒンジ運動でき、これにより、支持された各電子デバイスにアクセスできる。
【００３０】
好ましくは、ヒンジ組立体は、互いにヒンジ運動できるように相互連結された２つ以上の隣接ヒンジコンポーネントの連鎖を含み、各ヒンジコンポーネントは、単独でまたは１つ以上の隣接ヒンジコンポーネントと協働して、電子デバイスを片持ち支持態様で支持するように構成されている。
【００３１】
好ましくは、各ヒンジコンポーネントは、単独でまたは１つ以上の隣接ヒンジコンポーネントと協働して、電子デバイスを単一または複数のヒンジコンポーネントに直接連結することにより電子デバイスを受入れかつ保持するように構成されている。
【００３２】
好ましくは、各ヒンジコンポーネントは、単独でまたは１つ以上の隣接ヒンジコンポーネントと協働して、１つ以上の電子デバイスを受入れかつ保持するように構成されたブラケットを支持するように構成されている。より好ましくは、ヒンジ組立体のヒンジコンポーネントは少なくとも２つのブラケットを支持するように構成され、各ブラケットは１つ以上の電子デバイスを受入れかつ保持するように構成され、ブラケットはヒンジ組立体により互いにヒンジ運動できる。
【００３３】
好ましくは、電子デバイスはラックマウント電子デバイスである。
【００３４】
本発明の他の態様を以下に説明する。
他の態様では、本発明は、概していえば、電子デバイス用貯蔵ユニットからなり、この電子デバイス用貯蔵ユニットは、開くことができるハウジングと、１つ以上の電子デバイスをハウジング内に受入れかつ保持するための装着システムとを有し、装着システムは少なくとも１つのブラケットを支持するヒンジ組立体を備え、各ブラケットは、１つ以上の電子デバイスを受入れかつ保持するように構成されかつヒンジ組立体により他の全てのブラケットおよびハウジングに対して運動でき、これにより、単一または複数の電子デバイスの装着または取出しを行うべくブラケットにアクセスできる。
【００３５】
好ましくは、ヒンジ組立体は、互いにヒンジ運動できるように相互連結された隣接ヒンジコンポーネントの連鎖を有する。より好ましくは、各ヒンジコンポーネントは、単独でまたは１つ以上の隣接ヒンジコンポーネントと協働してブラケットを支持するように構成される。
【００３６】
好ましくは、各ヒンジコンポーネントは、単独でまたは１つ以上の隣接ヒンジコンポーネントと協働してブラケットのアタッチメント部分に強固に連結され、これによりブラケットを片持ち支持態様で支持するように構成される。より好ましくは、ヒンジコンポーネントは、隣接するヒンジコンポーネントに対してピボット回転運動でき、これにより所望に応じ、支持された全てのブラケットが互いにピボット回転できるように相互連結できる。例えば、ヒンジ組立体は、ヒンジコンポーネントおよび支持されたブラケットの全てが整合されるコンパクト位置と、全てのヒンジコンポーネントが互いに弧状にピボット回転される開扇位置であって、支持されたブラケットを互いに扇状に開かせて、電子デバイスの装着または取出しを行うべくブラケットへのアクセスができる開扇位置との間で移動できる。
【００３７】
好ましくは、各ブラケットには操作可能なロッキング機構が設けられ、このロッキング機構は、隣接ブラケットの同様なロッキング機構と協働してブラケットを一体にロックし、ブラケットがヒンジ組立体を介して互いに移動できなくするように構成される。
【００３８】
好ましくは、ブラケットはラックマウント電子デバイスを受入れかつ保持するように構成される。ブラケットはキャパシティを変えることができ、１つの電子デバイスを受入れかつ保持するように構成されたシングルブラケットまたは２つの電子デバイスを受入れかつ保持するように構成されたデュアルブラケットを設けることができる。また、ブラケットは、種々の高さの電子デバイスを収容できるように、例えば少なくとも１Ｕ以上にサイズを変えることができる。
【００３９】
好ましくは、装着システムはモジュラにして、ヒンジ組立体のヒンジコンポーネントがブラケットを解放可能に支持するように構成できる。例えば、特定システムまたは貯蔵ユニット内に貯蔵される電子デバイスの選択について、所望に応じ、ヒンジ組立体のヒンジコンポーネントに種々のキャパシティおよびサイズのブラケットを配置できる。
【００４０】
好ましくは、各ヒンジコンポーネントは、これ自体に、それぞれ１つまたは２つの１Ｕラックマウント電子デバイスを受入れかつ保持するように構成されたシングル１Ｕブラケットまたはデュアル１Ｕブラケットを支持する寸法にする。例えば、それぞれ、１つまたは２つの２Ｕ以上のラックマウント電子デバイスを受入れかつ保持するように構成されたより大きいシングルブラケットまたはデュアルブラケットが、多数の隣接ヒンジコンポーネントにより支持されるように構成され、その数は、ブラケットの整数倍のＵサイズに比例する。例えば、２Ｕブラケットは２つの隣接ヒンジコンポーネントにより支持され、３Ｕブラケットは３つの隣接ヒンジコンポーネントにより支持され、以下同様に支持される。このような大きいブラケットを支持する隣接ヒンジコンポーネントは、単一の大きいヒンジコンポーネントとして有効に作動する。なぜならば、大きいヒンジコンポーネントを形成する個々の隣接ヒンジコンポーネントは、大きいブラケットを支持しているときは互いに移動できないからである。
【００４１】
好ましくは、ヒンジ組立体は、ハウジングの一部に固定される取付け板を介してハウジングまたはハウジング内に取付けられる。より好ましくは、取付け板は、連鎖の端に位置するヒンジ組立体のヒンジコンポーネントの１つにピボット回転可能なように連結される。
【００４２】
好ましくは、ハウジングは、ベース板と、このベース板の両端部にヒンジ機構を介してヒンジ連結された、開くことができる２つのドアを有している。より好ましくは、ドアは、両方が閉位置と開位置との間で移動できるようにヒンジ連結され、両ドアが閉位置にあるとき、装着システムおよび全ての電子デバイスがハウジング内に包囲され、両ドアが開位置にあるとき、装着システムおよび全ての電子デバイスが露出されてアクセス可能になる。
【００４３】
好ましくは、両ドアは、これらを閉位置にロックすべく操作できる関連ロッキング機構を有している。
【００４４】
好ましくは、貯蔵ユニットは、ハウジングが閉じられているときにその内部環境内の１つ以上の環境パラメータまたは状態を制御する空調システムを有している。
【００４５】
一形態では、空調システムは、内部環境内の特定環境パラメータを測定するように構成されたモニタリングセンサと、ハウジングおよびハウジングの関連ベントを通る空気流を発生させるように構成されたファンと、モニタリングセンサにより得られた測定値に従ってファンを制御するように構成された制御システムとを有している。一例として、モニタリングセンサは、ハウジングの内部環境内の少なくとも温度および湿度を検出するように構成される。これに加えて、または、これに代えて、貯蔵ユニットに外部空調システムを設けることができ、この外部空調システムは、ハウジングの入口ポートおよび出口ポートを介して内部環境に連結されかつ内部環境の少なくとも温度および湿度を能動的に制御するように構成される。
【００４６】
好ましくは、貯蔵ユニットは、ハウジングに取付けられかつ貯蔵ユニット内に保持された１つ以上の電子デバイスと通信するように構成されたユーザインターフェースを有している。より好ましくは、ユーザインターフェースは、キーボードおよびマウスのような入力デバイス（単一または複数）および出力ディスプレイからなる。一形態では、ユーザインターフェースは、開くことができるカバーにより隠されるハウジングの１つのドアのカバー内に設けられる。
【００４７】
他の態様では、本発明は、概していえば、電子デバイス用貯蔵ユニットからなり、この貯蔵ユニットは、開くことができるハウジングと、少なくとも２つのブラケットを備えた、ハウジング内の装着システムとを有し、各ブラケットは１つ以上の電子デバイスを受入れかつ保持するように構成され、ブラケットは、これに装着された電子デバイス（単一または複数）を貯蔵する並置関係に一体に配置されるコンパクト配置と、電子デバイスの装着、維持または取出しのために個々の各ブラケットへのアクセスが行える他の配置との間で相対移動できるように一緒に連結されている。
【００４８】
他の態様では、本発明は、概していえば電子デバイス用貯蔵ユニットからなり、この貯蔵ユニットは、開くことができるハウジングと、１つ以上のブラケットを備えた、ハウジング内の装着システムとを有し、各ブラケットは１つ以上の電子デバイスを受入れかつ保持するように構成され、ヒンジコンポーネントの連鎖は互いにヒンジ運動できるように一体に連結され、各ヒンジコンポーネントは、単独で、または、１つ以上の隣接ヒンジコンポーネントと協働してブラケットを支持するように構成されている。
【００４９】
他の態様では、本発明は、概していえば電子デバイス用貯蔵ユニットからなり、この貯蔵ユニットは、電子デバイス用の開くことができる包囲体と、モジュラブラケットの配置を支持するように構成された装着システムとを有し、各ブラケットは、特定サイズおよび数の電子デバイスを受入れかつ保持するように構成され、装着システムは、支持されたブラケット間で相対移動でき、これにより、互いに個々に分離して、電子デバイスの装着、維持または取出しを行うためにアクセスでき、同時に、電子デバイスの貯蔵のためにコンパクト形態に一体的に移動することもできる。
【００５０】
他の態様では、本発明は、概していえば、電子デバイス用貯蔵組立体からなり、この貯蔵組立体は、１つ以上の電子デバイスを受入れかつ保持するための装着システムを有し、装着システムは少なくとも１つのブラケットを支持するヒンジ組立体を有し、各ブラケットは、１つ以上の電子デバイスを受入れかつ保持し、かつ、ヒンジ組立体により、他の全てのブラケットに対して移動できるように構成されており、これにより電子デバイス（単一または複数）の装着および取出しを行うためにアクセスできる。
【００５１】
本発明の各態様に関連して列挙された好ましい特徴は、本発明の他の態様にも適用できる。
【００５２】
本明細書および特許請求の範囲の記載において使用されている語句「ラックマウント電子デバイス」とは、従来の１９インチラックまたは他の任意のラックサイズ規格のラック内にラックマウント設置するのに適したあらゆる電子デバイス、コンポーネンツまたはモジュールをいう。
【００５３】
特許請求の範囲の記載において使用されている用語「有する（comprising）」は、「少なくとも一部を構成すること」、すなわち、この用語を含む本明細書および特許請求の範囲の記載を解釈するとき、各記述でこの用語により前置きされる特徴の全てが存在することを必要とするが、他の特徴も存在することを意味する。
【００５４】
本発明は前述の構成からなり、単なる例示として以下に述べる構造を考えることができる。
【図面の簡単な説明】
【００５５】
【図１Ａ】本発明の貯蔵ユニットの好ましい実施形態を右前方から見た斜視図である。
【図１Ｂ】本発明の貯蔵ユニットの好ましい実施形態を右後方から見た斜視図である。
【図２】好ましい実施形態による貯蔵ユニットのハウジングのドアのパネルが開位置にあるところを右前方から見た斜視図である。
【図３】好ましい実施形態による貯蔵ユニットのハウジングのドアのパネルが開位置にあるところを左前方から見た斜視図である。
【図４】好ましい実施形態による貯蔵ユニットを示す右側面図である。
【図５】好ましい実施形態による貯蔵ユニットを示す正面図である。
【図６】好ましい実施形態による貯蔵ユニットを上方から見た端面図である。
【図７】好ましい実施形態による貯蔵ユニットを下方から見た端面図である。
【図８】好ましい実施形態による貯蔵ユニットを右前方から見た斜視図であり、ハウジングのドアが全開位置にありかつ装着システムがコンパクト配置位置にあるところを示すものである。
【図９】図８の好ましい実施形態による貯蔵ユニットを右前方から見た斜視図であり、装着システムが扇形に開いた（開扇）配置位置にあるところを示すものである。
【図１０】好ましい実施形態による貯蔵ユニットを右前方から見た斜視図であり、ドアが開位置にありかつ多数の電子デバイスが装着システムにより固定保持されているところを示すものである。
【図１１】好ましい実施形態による貯蔵ユニットの装着システムを前方から見た斜視図であり、装着システム自体が完全に空になっておりかつ開扇配置位置にあるところを示すものである。
【図１２】好ましい実施形態による貯蔵ユニットの装着システムを後方から見た斜視図であり、装着システム自体が完全に空になっておりかつコンパクト配置位置にあるところを示すものである。
【図１３】好ましい実施形態による貯蔵ユニットの装着システムを前方から見た斜視図であり、装着システム自体が完全に空になっておりかつコンパクト配置位置にあるところを示すものである。
【図１４】１Ｕシングルブラケットを支持しているヒンジ組立体のヒンジコンポーネントを後方から見た斜視図である。
【図１５】ヒンジ組立体の隣接する２つのヒンジコンポーネントを連結するピボット回転可能なように連結する構造を後方から見た斜視図であり、各ヒンジコンポーネントが１Ｕシングルブラケットを支持しているところを示すものである。
【図１６】ヒンジコンポーネントにより支持された１Ｕシングルブラケットを前方から見た斜視図である。
【図１７】図１６の１Ｕシングルブラケットを示す側面図である。
【図１８】隣接する２つのヒンジコンポーネントにより形成された２Ｕシングルブラケットを前方から見た斜視図である。
【図１９】ヒンジコンポーネントにより支持された１Ｕのデュアルブラケットを前方から見た斜視図である。
【図２０】好ましい実施形態による貯蔵ユニットを示す前方右側から見た斜視図であり、一部を分解したところを示すものである。
【図２１】好ましい実施形態による貯蔵ユニットを示す前方右側から見た斜視図であり、完全に分解したところを示すものである。
【図２２】壁マウントブラケットにより支持される好ましい実施形態による貯蔵ユニットを前方から見た斜視図である。
【図２３】壁マウントブラケットにより支持される好ましい実施形態による貯蔵ユニットを後方から見た斜視図である。
【図２４】自立支持フレームにより支持される好ましい実施形態による貯蔵ユニットを前方から見た斜視図である。
【図２５】自立支持フレームにより支持される好ましい実施形態による貯蔵ユニットを後方から見た斜視図である。
【図２６】壁マウントブラケットおよび空調ダクトにより支持される好ましい実施形態による貯蔵ユニットを前方から見た斜視図である。
【図２７】壁マウントブラケットおよび空調ダクトにより支持される好ましい実施形態による貯蔵ユニットを後方から見た斜視図である。
【図２８】他の実施形態による装着システムを前方から見た斜視図であり、貯蔵ユニットが完全に空でありかつ扇形に開いた（開扇）配置位置にあるところを示すものである。
【図２９】図２８の他の実施形態による装着システムがコンパクト配置位置にあるところを後方から見た斜視図である。
【発明を実施するための形態】
【００５６】
以下、添付図面を参照して、本発明の好ましい実施形態を単なる例示として説明する。
本発明は、電子デバイス用貯蔵ユニットに関する。より詳しくは、貯蔵ユニットは、好ましくは全システムの一部を形成する多数の電子デバイスを確実に収容するように設計されたものであるが、所望に応じ、電子デバイス以外のものを貯蔵することもできる。この貯蔵ユニットは、主として標準のラックマウントプロファイルを有する電子デバイス、すなわち従来の１９インチラック内に装着されるサイズを有しかつ構成された電子機器を収容するように設計されている。このユニットは、他の電子デバイスのサイズ規格に適するように変更できることは理解されよう。
【００５７】
以下、図１Ａから図２７を参照して、貯蔵ユニット１０の好ましい実施形態を説明する。概していえば、貯蔵ユニット１０は開くことができるハウジングを有し、前記ハウジングは、多数のラックマウント電子デバイスを確実に受入れ、保持しかつ支持できる装着システムを包囲する。最初に、図１Ａから図８を参照して、貯蔵ユニット１０のハウジングを説明する。第二に、図８から図２１を参照して、内部装着システムを説明する。第三に、図２２から図２５を参照して、貯蔵ユニット１０の種々の装着組立体および支持組立体システムを説明する。また、図２６および図２７を参照して、空調マニホルドを説明する。
【００５８】
図１Ａおよび図１Ｂを参照すると、好ましい実施形態の貯蔵ユニット１０のハウジングはベース板１１と、上方ドア１２と、下方ドア１３とを有し、ドア１２、１３は、ベース板１１に対して開位置と閉位置との間で移動できるように構成されている。好ましい実施形態では、ハウジングの上方ドア１２および下方ドア１３は、ベース板１１の両端部またはこの近くにピボット回転可能なように連結され、または、ヒンジ連結されており、開位置に向かって互いに離れるようにおよびベース板１１に対して離れるように外方にスイングまたはピボット回転し、または、閉位置に向かって互いに近付くように、および、ベース板に近付くように内方にスイングでき、または、ピボット回転することができる。
【００５９】
図１Ａおよび図３を参照すると、ドア１２、１３の各々は前面１２ａ、１３ａを有し、前面１２ａ、１３ａは、それぞれ、左側面１２ｂ、１３ｂおよび右側面１２ｃ、１３ｃに取付けられるか、これらと一体に形成されている。従って、ドア１２、１３がベース板１１に対して閉位置にあるとき、閉じられたハウジングが形成される。好ましい実施形態では、ドア１２、１３の前面１２ａ、１３ａは、ハウジングの中央部近くで平らでかつベース板１１に対して平行であり、次に、上縁部１４および下縁部１５で、ベース板１１に向かって下方に曲りまたは湾曲している。ドア１２、１３の側方パネルすなわち側面１２ｂ、１２ｃ、１３ｂ、１３ｃは、実質的に平らでありかつ前面すなわち前方パネル１２ａ、１３ａの湾曲を補完する形状を有している。
【００６０】
好ましい実施形態では、上方ドア１２は、上方ヒンジ機構すなわちヒンジカップリング４１を介してベース板１１の上縁部近くにピボット回転可能なように連結されており、線Ｃ−Ｃで概略的に示す軸線の回りで矢印ＡまたはＢにより示すように前後両方向にピボット回転する。同様に、下方ドア１３は、ヒンジ機構すなわちヒンジカップリング４３を介してベース板１１の下縁部１５近くにピボット連結されており、線Ｆ−Ｆで概略的に示す軸線の回りで矢印ＤまたはＥにより示すように前後両方向にピボット回転する。本質的に、上方ドア１２および下方ドア１３は、ベース板１１に対して二枚貝構造を形成する。
【００６１】
各ドア１２、１３はまた、例えばエア・ラム等の１対の流体オープナを介してベース板１１に連結するのも好ましい。例えば図１Ａおよび図１Ｂには、ハウジングの右側、より詳しくは、上下のドア１２、１３を、ベース板１１に取付けられるか、ベース板１１と一体に形成された中央ブラケット１６にそれぞれ連結する流体オープナ１７、１８が示されている。図３には同様な構造を有するハウジングの左側が示されており、流体オープナ１９、２０が、それぞれ上下のドア１２、１３をベース板１１の他の中央ブラケット２１に連結している。好ましい実施形態では、流体オープナ１７、１８、１９、２０は、上下のドア１２、１３を開位置に向けて押圧するように構成される。より詳しくは、これらの流体オープナは、上下のドア１２、１３の各々が開位置に向かってそれぞれ矢印Ａ方向およびＥ方向にスイングし、すなわち、ピボット回転する力をドア１２、１３に加えるように構成されている。
【００６２】
図１Ａおよび図１Ｂは、両ドア１２、１３が閉位置にあり、装着システムおよび収容された全電子デバイスがハウジング内に包囲されている状態を示すものである。図８は、両ドア１２、１３が全開位置にあり、装着システムが露出されて、電子デバイスを装着し、取出しまたは維持できる状態を示すものである。好ましい実施形態では、ドア１２、１３は、操作可能なロッキング機構により、流体オープナ１７、１８、１９、２０の力に抗して閉位置に保持される。例えば、ロッキング機構は、操作可能な２つのロッキングデバイス２２、２３を有し、これらのロッキングデバイスはベース板１１の中央ブラケット１６、２１に設けられかつ上方ドア１２の両側に設けられた補完ロッキング孔２４、２５と協働して上方ドア１２を閉位置にロックするように構成されている。より詳しくは、ロッキングデバイス２２、２３は、上方ドア１２のロッキング孔２４、２５と係合する可動ロッキングボルトを有している。ロッキングボルトは、ユーザが流体オープナ１７、１９の力に抗して加えた力により上方ドア１２が閉位置に移動されると、自動的に押圧されてロッキング孔２４、２５と係合することが好ましい。ロッキングデバイス２２、２３のロッキングボルトは、操作ボタン、ノブまたはキー等により上方ドア１２をアンロックし解放すべく、ロッキング孔２４、２５から離脱される。
【００６３】
好ましい実施形態では、下方ドア１３は、これを閉位置にロックするための操作可能なロッキング機構を備えていない。その代わり、下方ドア１３は、閉位置にロックされるとき、上方ドア１２との係合により閉位置に保持される。図８に示すように、両ドア１２、１３が閉位置にあるとき、上方ドア１２の外縁部４５は、下方ドア１３から突出するフランジ２６と係合し、当接しまたはオーバーラップするように構成される。このためには、ハウジングを閉じる作動時に、下方ドア１３のフランジ２６が、係合準備が整った上方ドア１２の外縁部４５の下になることを確保すべく、下方ドア１３が上方ドア１２より僅かに前に閉位置に移動されることを必要とする。
【００６４】
ハウジングの両ドアを閉位置に固定するのに、他の任意のロッキング機構またはラッチング機構を使用できることは理解されよう。他の構成では、ロッキング機構またはラッチング機構は、自動操作形であるか手動操作形であるかを問わず、いずれか一方のドアまたは両方のドアに設けることができ、かつ各ドアの一方の側または両側に設けることができる。
【００６５】
作動時に、ハウジングの両ドア１２、１３は、例えばノブ、ボタンまたはキー等を用いてロッキングデバイス２２、２３をアンロックすることによりユーザにより開かれる。ロッキングデバイス２２、２３がひとたびアンロックされると、流体オープナ１７、１８、１９、２０が両ドア１２、１３を押すように作用し、両ドア１２、１３は、互いに対しておよびベース板１１に対して外方にスイングし、図８に示す開位置に向かってそれぞれ矢印Ａ方向およびＥ方向に外方にスイングする。ハウジングを閉じるには、ユーザは、各ドア１２、１３に力を加えて、両ドア１２、１３を互いにおよびベース板１１に近付くように、図１Ａおよび図１Ｂに示す閉位置に向けて、それぞれ矢印Ｂ方向およびＤ方向へと内方にスイングさせることができる。前述のように、ユーザは、上方ドア１２よりも前に、下方ドア１３をベース板１１に当接する閉位置に移動させなくてはならない。これは、好ましい実施形態では、上方ドア１２の縁部が下方ドア１３のフランジ２６にオーバーラップする関係をなして下方ドア１３を所定位置に保持する構成であることによる。前述のように、上方ドア１２は、ロッキングデバイス２２、２３の自動的作動または手動により、ベース板１１に当接する閉位置に保持される。
【００６６】
図２および図３に示すように、貯蔵ユニット１０にはユーザインターフェースを設けることができる。ユーザインターフェースは、ハウジングに取付けられ、かつ貯蔵ユニット内に装着される１つ以上の電子デバイスと通信するように構成される。ユーザインターフェースは、例えばキーボード、マウス、ディスプレイ等の種々の形式の入力デバイスおよび出力デバイスの組合せで構成できることは理解されよう。電子デバイスの大形システムすなわち集合体の場合には、コンポーネンツの貯蔵のために、１つ以上の貯蔵ユニットが共用すなわち使用される。この状況では、単一の貯蔵ユニットにＬＣＤ、キーボードおよびテープドライブ等のユーザインターフェースを設ければよいことは理解されよう。
【００６７】
好ましい実施形態では、ユーザインターフェースはハウジングの上方ドア１２の前面１２ａに取付けられ、ディスプレイ２７およびキーボード２８を有している。ハウジングの上方ドア１２の前面１２ａのキャビティ２９内には、ＬＣＤ等のディスプレイが取付けられている。キーボード２８は、キャビティ２９と組合わされる、開くことができるパネルすなわちカバー３０の内面に取付けられる。カバー３０は、好ましくは、１対のヒンジ組立体またはヒンジ３１を介して上方ドア１２のキャビティにピボット回転可能なように連結され、カバー３０を、図１Ａおよび図１Ｂに示すようにユーザインターフェースを隠す閉位置と、図２および図３に示すようにユーザインターフェースを露出させる開位置との間で移動できるようにする。
【００６８】
好ましい実施形態では、キャビティ２９とカバー３０との間に１対のエア・ラムが配置されている。エア・ラム３１ａは、カバー３０を開位置に押圧するように構成される。エア・ラム３１ａは、カバー３０を開位置に押圧するように配置または構成されている。カバー３０には、この上縁部の中心近くに、操作可能なロッキング機構３０ａが設けられている。パネル３０が閉位置にあるとき、ロッキング機構３０ａは、キャビティ２９内に設けられた補完ロッキング孔すなわちキャッチ２９ａとロッキング係合させることにより、カバーを所定位置にロックするように操作できる。
【００６９】
作動に際し、カバー３０は、これを所定位置に固定しまたはロックするように構成されたヒンジ組立体３１を用いて、キャビティ２９内にカバー３０を畳み込む力を加えることによりユーザにより閉じられ、ユーザインターフェースを隠しかつ保護する。カバー３０を開くには、ロッキング機構３０ａを操作してカバーをアンロックすなわち解放させる。これにより、エア・ラム３１ａはカバー３０を開位置に自動的に下降させ、すなわち、ピボット回転させる。
【００７０】
ユーザインターフェースは、所望に応じて無線によりまたはケーブルを用いて、ハウジングまたは他の外部デバイス内に貯蔵された１つ以上の電子デバイスと通信するように構成できることは理解されよう。より詳しくは、キャビティ２９には、ハウジング等内へのケーブルポートを設けることができる。
【００７１】
カバー３０は、他の実施形態では、他のヒンジ組立体、または、ピボット回転可能なように連結された構造を介してキャビティ２９と係合するように、ピボット回転可能なように連結できることは理解されよう。また、他のヒンジ組立体は、カバーを、力の付与に応答して開くプッシュパネルとなるセルフロッキング構造にすることができる。より詳しくは、ヒンジ組立体は、カバーの上端部に加える小さい力に応答してカバーをアンロックまたは解放し、カバーを、キャビティ２９から離れて開位置に向けて下方に畳むことができるように構成できることも理解されよう。更に、エア・ラムは必ずしも本質的なものではなく、カバー３０を開いたときにカバーが過度に開いてしまわないようにするのにワイヤステー等の他の機構を使用できることも理解されよう。
【００７２】
ハウジングの下方ドア１３にも、キャビティ３２および開くことができる関連カバー３３を設けることができる。好ましい実施形態では、カバー３３は、上方ドア１２のカバー３０に関して説明したのと同じ方法で所定位置に移動しかつロックされるように、ピボット回転可能なように連結されている。より詳しくは、カバー３３には、これをキャビティ３２内にピボット回転可能なように連結するヒンジ組立体またはヒンジ４７が設けられている。エア・ラム４７ａ、ロッキング機構３３ａおよび補完ロッキング孔３２ａすなわちキャッチも設けられている。好ましい形態では、テープドライブ３４等の電子デバイス等は、下方ドア１３のキャビティ３２内に確実に取付けられる。カバー３３を開くとテープドライブ３４へのアクセスが行われ、カバーが閉じられると、テープドライブ３４はキャビティ３２内に隠される。下方ドア１３内に装着されたテープドライブ３４または他の電子デバイスは、所望により無線でまたはケーブルを介して、ハウジングまたは他の外部デバイス内に貯蔵された１つ以上の電子デバイスと通信できることは理解されよう。
【００７３】
好ましい実施形態の貯蔵ユニットの上下のドア１２、１３の各側には窓を設けることができるが、これは本質的ではないことに留意されたい。図４を参照すると、ここには、ハウジングの上下のドア１２、１３の右側の窓４９、５１が示されている。図３には、ハウジングの左側の同じ窓５３、５５を見ることができる。窓は、完全に透明にするか、僅かに着色するのが好ましく、かつガラス、パースペックス（perspex）または他の任意の適当な透明材料で作ることができる。
【００７４】
好ましい実施形態では、ユーザが両ドア１２、１３を開閉するのを補助するフィンガグリップ１０１が両ドアの両側に設けられる。より詳しくは、フィンガグリップ１０１は、ハウジングの中央近くでドア１２、１３の側面に設けられた細長凹部の形態をなしている。
【００７５】
好ましい実施形態では、貯蔵ユニット１０にはハウジング内の温度を制御する温度制御システムが設けられており、この温度制御システムは、少なくともハウジング内の内部環境を冷却するように構成されている。温度制御システムには、ハウジングが閉じられているときのハウジングの内部環境内の温度および湿度等の１つ以上の環境パラメータまたは状態を制御するための調節された空気流を得るべく貯蔵ユニットに連結された外部空調システム、および外部環境からの大気を、ハウジングを通して強制換気を行う、ハウジング内の一体冷却システムの少なくとも一方を設けることができる。
【００７６】
閉空間内に装着された電子デバイスのシステムは、システムを保護するために散逸させまたは制御する必要がある大量の熱を発生する傾向を有することに留意されたい。温度制御システムは、ハウジング内に配置されたモニタリングセンサから特定の内部環境パラメータの測定値を得る制御システムを有している。例えば、ハウジング内には温度センサおよび湿度センサが取付けられており、測定された温度および湿度のレベルすなわちデータを制御システムに通信する。測定した少なくとも温度および湿度および他の任意のパラメータに応答して、制御システムは、少なくとも外部空調システムおよび一体冷却システムのうちの少なくとも一方を作動させて、少なくとも温度を制御および低下させるように構成されている。空調システムの制御システムは、ハウジングの内部環境内に特定状態を自動的に維持しまたは形成するように予めプログラムしておくことができ、或いは制御システムは、空調システムの制御システムと相互作用するように構成されたユーザインターフェースを介してユーザが動的に変えることができる。所望により、ユーザインターフェースはまた、モニタリングセンサにより検出されたハウジング内のリアルタイム状態に関する読みおよびデータが得られるように構成でき、ファンの直接手動制御が行えるように構成できる。
【００７７】
図８に示すように、好ましい実施形態では、一体冷却システムは、ハウジングの内部環境の状態を制御してハウジング内に配置された電子デバイスの保護を行うべく、ハウジングを通る空気流を発生させる１つ以上のファンからなる構成を有している。より詳しくは、作動可能なファンは、外部環境へのハウジング内の関連換気を行い、かつ外部環境からの大気がハウジングを通る空気流を発生させる。図示のように、好ましい実施形態の一体冷却システムは、ハウジングの上方ドア１２内に取付けられた上方列のファン３５と、ハウジングの下方ドア１３内に取付けられた下方列のファン３６とを有している。この構成では、上方列のファン３５はハウジングの内部環境を通して空気を下方に吹出し、一方、下方列のファン３６はハウジングから空気を吸引するように構成されている。新鮮空気流の下向きドラフトすなわち下向き流を確保するため、図５および図６に示すように、上方列のファン３５に組合わされた上方入口ベント３７が、ハウジングの上方ドア１２に設けられており、新鮮空気が外部環境からハウジング内に入り得るようにしている。同様に、図５および図７に示すように、ハウジングの下方ドア１３には、下方列のファン３６と協働する下方ベント３８が設けられている。
【００７８】
好ましい実施形態では、ベント３７、３８は、ドアの前面に形成された小孔の配列の形態に設けられている。ベントは、グリルまたはメッシュインサートを備えた（または備えていない）、より大きい細長スロットまたは孔の形態に形成できる。また、ベント３７、３８には、空気流が所望の方向でハウジングに流入しかつハウジングから流出するように指向させる空気流ガイドフィンを設けることができる。ユニットには、所望に応じてダストおよびごみを収集するための着脱可能なダストフィルタをファンとベントとの間に設けることもできる。
【００７９】
貯蔵ユニットの装着システムは、ラックマウント電子デバイスの熱散逸端部がハウジングの下端部に向くようにして配置されるように、ラックマウント電子デバイスを受入れかつ保持すべく構成されている。従って、上記好ましい実施形態の一体形冷却装置は、入口ベント３７から、ハウジングおよび装着システムにより保持された電子デバイスの回りを通って出口ベント３８へと流れる下向き流を形成し、これにより電子デバイスにより発生された熱をハウジングの外部に有効に搬送し、これにより冷却システムとして作動する。ファン３５、３６の速度は、ユーザインターフェースにより手動でまたは制御システムにより自動的に制御され、ハウジングを通る空気流の体積および強度を変化させて、所望に応じて内部環境および電子デバイスの温度を制御できることは理解されよう。
【００８０】
貯蔵ユニットが、例えば極めて熱くかつ湿気の多い特に苛酷な外部環境内に配置されるときは、補完的な外部空調システムが貯蔵ユニットに連結されて、ハウジング内の温度および湿度のような状態を能動的に制御する。図１Ｂおよび図８に示すように、好ましい実施形態では、ハウジングのベース板１１には上方スロットすなわちポート５８ａおよび下方スロットすなわちポート５８ｂが設けられ、これらのスロットには、貯蔵ユニットの後部でマニホルドを嵌合して、補完的外部空調システムすなわちユニット用空調ダクトを取付けることができる。図２６および図２７にはマニホルドの一例が示されており、マニホルドは、これらの図面を参照して後でより詳細に説明する。例えば、特定温度および湿度レベルの冷却空気を内部環境内に導入すべく、外部空調ユニットが配置される。外部空調ユニットは、所望に応じて、上記一体形冷却システムと一緒に作動させるか、完全に独立的に作動させることができる。独立的に作動させる場合には、一体形冷却システムのファン３５、３６は停止させかつ入口ベント３７および出口ベント３８をカバーで完全にまたは部分的に閉鎖して、苛酷な温度および湿度をもつ空気が外部環境からハウジング内に入ることを防止する。
【００８１】
装着される電子デバイスおよびユニット内での作動によっては、温度制御システムが、貯蔵ユニットにとって必ずしも必要になる訳ではないことは理解されよう。また、異なるサイズの貯蔵ユニットは、異なる温度制御条件を有する。或る貯蔵ユニットには一体形冷却システムのみを設け、他の貯蔵ユニットは外部空調システムに連結することもできる。また、ハウジング内の温度および他のパラメータを検出しかつモニタリングすべく配置されるモニタリングセンサも必ずしも必要ではなく、かつ温度制御システムは、所望に応じて、種々の貯蔵ユニットの特定条件にカスタマイズすることができる。
【００８２】
好ましい実施形態の貯蔵ユニット１０は、図１Ａおよび図１Ｂに示すように、壁または他の任意の垂直フレーム構造または表面上に、好ましくは垂直方向に取付けられるが、所望に応じて、水平方向または他の任意の方向に取付けることもできる。貯蔵ユニット１０を設置するとき、ベース板１１は、ねじ、釘、ボルトまたは他の任意の緊締コンポーネンツを用いて直接壁等に固定できる。或いは、壁等に最初に固定される別の取付け板を用いることもでき、前記取付け板は、解放可能なロッキング器具、フッキング器具またはカップリング器具を用いて貯蔵ユニット１０を固定的に受入れかつ支持するように配置される。例えば、貯蔵ユニット１０のベース板１１は、取付け板に対して解放可能に係合させることができる。或いは、貯蔵ユニットは、フロア上、カップボードの底内、キャビネット内、机の下または室内またはオフィス内の他の任意の適当な領域に設置することができ、所望に応じて貯蔵ユニットを防水形にして屋外に設置することもできることは理解されよう。貯蔵ユニットの種々の取付け構造および組立体について、図２２から図２５を参照して後でより詳細に説明する。
【００８３】
前述のように、貯蔵ユニット１０の好ましい実施形態は、例えばコンピュータのサーバシステムまたは多数の相互連結されまたは相互作用する個々の電子コンポーネンツまたはモジュールを有する他のシステム等のシステムの一部を形成する多数のラックマウント電子デバイスを確実に貯蔵しかつ収容するように構成されている。一般に、必ずしもそうではないが、貯蔵ユニット１０内に保持される電子デバイスのあるものは、ケーブルおよびワイヤ等を介して他の外部デバイスに接続する必要がある。この目的のため、ハウジングのベース板１１の下端部近くにケーブル孔５７が設けられており、このケーブル孔５７を通して、ケーブルまたはワイヤリングルームが、ハウジング内の電子デバイスから外部デバイス等に導かれる。
【００８４】
貯蔵ユニット１０のユーザインターフェースおよび内部空調システムを駆動するための電源が必要になる。ハウジングのベース板１１のケーブル孔５７を通る電源ケーブル（単一または複数）を介して、電力がユーザインターフェースおよび内部空調システムに供給されるか、貯蔵ユニットには、電源ソケットにプラグインできる一体形電源コードが設けられる。これに代えてまたはこれに加えて、貯蔵ユニットには、緊急時または外部電源を利用できない場合のために、オン・ボード充電可能電源を設けることができる。
【００８５】
好ましい実施形態の貯蔵ユニット１０の二枚貝形ハウジングは、好ましい１つの特定設計に過ぎないことは理解されよう。これに代えて、他の種々のハウジング構成を使用することもできる。装着システムおよび前記装着システムが支持する電子デバイスを実質的に包囲しかつ保護できる任意の開くことが可能なハウジングが適している。一例として、他の形態では、ハウジングは、ベース板と、このベース板に対してピボット回転してハウジングを開閉する単一の包囲ドアとを有している。他の形態では、ハウジングは、１つ以上のドアまたはカバーにより包囲されるビン、ボックスまたは他のレセプタクル形コンポーネントで形成できる。好ましい実施形態では、ハウジングの裏当て板１１および開くことができる対向ドア１２、１３はプラスチックから形成されるが、アルミニウムまたは他の任意の適当な材料または種々の材料の組合せを用いてハウジングを構成できることは理解されよう。また、ドア１２、１３は、一体形コンポーネンツとして形成でき、または取付けられまたは相互連結されたコンポーネンツからも形成できることは理解されよう。
【００８６】
図８から図２１を参照して、好ましい実施形態の貯蔵ユニット１０の装着システムを以下に説明する。貯蔵ユニットは６Ｕキャパシティを有し、これにより、この貯蔵ユニットは、６Ｕ以下の集合スタック高を有する１つ以上のラックマウント電子デバイスを収容できる。装着システムおよびハウジングは、サイズ変更できかつ所望に応じて６Ｕより大きいまたは小さい異なるキャパシティに適するように変えることができる。
【００８７】
概していえば、装着システムは、１つ以上電子デバイスを受入れかつ保持するように構成される。装着システムは、少なくとも１つのブラケットを支持するように構成されたヒンジ組立体を有し、各ブラケットは、１つ以上の電子デバイスを受入れかつ保持するように構成されている。ヒンジ組立体は、支持されたブラケットが相互におよびハウジングに対して移動して、電子デバイスの装着、取出しまたは維持を行うために各ブラケットへの個々のアクセスが行えるように構成されている。或る実施形態では、一部または全部のヒンジ組立体は、別々のブラケットコンポーネンツを用いることなく、１つ以上の電子デバイスを直接支持するブラケット（単一または複数）として構成することもできる。直接支持構造によれば、支持された電子デバイスはヒンジ組立体を介して相対移動され、必要に応じて各デバイスへのアクセスが行えるという点で同じ効果を与える。従って、ヒンジ組立体は、電子デバイスを受入れかつ保持する支持ブラケットにより、直接的または間接的に、１つ以上の電子デバイスを好ましくは片持ち態様で支持するように構成できる。ヒンジ組立体の一部は直接支持を行うのに対し、残りのヒンジ組立体にはブラケットを設けることができることは理解されよう。
【００８８】
図８に示すように、好ましい実施形態の装着システム４０は、多数のブラケット４２を支持するように構成された関節連結形ヒンジ組立体４４を有している。ブラケット４２およびヒンジ組立体４４については、より詳細に後述する。一般に、各ブラケット４２は、１つ以上のラックマウント電子デバイスを確実に受入れかつ保持するように構成されている。ヒンジ組立体４４は、各ブラケット４２が、電子デバイスの装着、取出しまたは維持を行うために個々にアクセスできるようにする。より詳しくは、ヒンジ組立体４４は、ブラケット４２が相互にかつハウジングに対して移動できるようにする。例えば図８には、ハウジングを閉じることができるように、ブラケット４２が互いに整合して並べられたコンパクト位置に一体的に折畳まれた状態が示されている。図９は、ブラケット４２が扇形に開いた（開扇）位置にあり、電子デバイスを装着し、取出しまたは維持すべく個々の全てのブラケットにアクセスすることを可能にする。本質的に、装着システム４０は本のように作動し、ヒンジ組立体４４は本の背骨を表し、各ブラケットは本のページを表す。従って、ブラケットは、図８に示すような閉じたコンパクト形態に集合され、または図９に示すような開扇形態に開かれ、または多数の異なる形態に互いに分離される。例えば、装着システムの幾つかのブラケットは隣接ブラケットから分離され、一方、他のブラケットは実質的に当接関係に留められる。より詳しくは、１つの特定選択ブラケットにアクセスするのに、必ずしも全てのブラケットが図９に示すように開扇状態になるのではない。アクセスすべきブラケットは、本の特定ページを開く場合のように個々にアクセスされる。
【００８９】
好ましい実施形態では、装着システム４０は、ユーザにより、種々のサイズのラックマウント電子デバイスの特定システムまたはコレクションに適合するように構成すなわちカスタマイズされるモジュラである。より詳しくは、ヒンジ組立体４４は、異なるキャパシティおよびサイズを有するモジュラブラケット４２を解放可能に支持するように構成されている。キャパシティに関しては、モジュラブラケットは、例えば、１つの電子デバイスを受入れかつ保持するように構成されたシングルブラケット、または２つの電子デバイス（一方はブラケットの上部にあり、他方はブラケットの下部にある）を受入れかつ保持するように構成されたデュアルブラケットである。サイズに関しては、ブラケットは、例えば１Ｕまたはより大きい整数倍のＵを有する任意の特定高さのラックマウント電子デバイスを収容できるように構成される。
【００９０】
例えば、好ましい実施形態の貯蔵ユニット１０は、４つのモジュラブラケット４２と、１つのハイブリッドブラケット４２ａとにより構成されており、ハイブリッドブラケット４２ａは、ヒンジ組立体により電子デバイスの直接支持を行うだけでなく、ベース板１１およびベース板１１に固定された部分的ブラケットコンポーネンツとも協働する。図１０を参照すると、第一ブラケットは、高さ１Ｕの機器の１／２の長さのピースである２つのラックマウント電子デバイス５０を確実に受入れかつ保持するように配置された１Ｕデュアルブラケットである。例えば、デバイス５０は、少なくとも通信ルータおよびＬＡＮスイッチのようなネットワーク機器である。次の３つのブラケットは１Ｕシングルブラケットであり、各ブラケットは、高さ１Ｕの１つの電子デバイス、例えばサーバまたは無停電電源装置（Uninterruptible Power Supply：ＵＰＳ）のような機器の全長ピースを確実に受入れかつ保持するように構成されている。第五番目の最終ハイブリッドブラケット４２ａは２Ｕシングルブラケットであり、このブラケットは、高さ２Ｕのラックマウント電子デバイス５４、例えばサーバまたはＵＰＳのような機器の全長ピースを受入れかつ保持するように構成されている。２Ｕシングルブラケットはヒンジ組立体４４のどこにでも設けられることおよび２つ以上の２Ｕシングルブラケットでもよいことは理解されよう。一般に、コンピュータネットワークシステムの場合には、ＵＰＳ（１Ｕまたは２Ｕ）は、システムの他の電子デバイスに対して重量が大きいため、ベース板１１に隣接して貯蔵ユニット１０の背部に取付けるのが好ましい。前述のように、好ましい実施形態の貯蔵ユニット１０のキャパシティは６Ｕである。より詳しくは、装着システムは、ユニットが６Ｕキャパシティ用に構成されている場合にブラケットのＵの全集合数が６以下であるとすると、種々のキャパシティ（シングルまたはデュアル）およびサイズ（Ｕ）の１つ以上の任意の組合せブラケットを収容できる。前述のように、キャパシティは変えることができ、或いは所望に応じてカスタマイズできる。
【００９１】
前述のように、装着システムは、特定の電子システムに適するように、または特定組のラックマウントコンポーネンツを貯蔵するため、ユーザがカスタマイズできる。種々のブラケット構成の多数の組合せがある。例えば、好ましい実施形態の貯蔵ユニット１０は、ハウジングに対して前から後までどのような順序でも、１つのシングル６Ｕブラケット、３つの２Ｕブラケット、２つの２Ｕブラケットおよび２つの１Ｕブラケット、６つの１Ｕブラケット、または１Ｕと６Ｕとの間のサイズのブラケットの他の任意の組合せを収容できる。また、各ブラケットのキャパシティは、シングルブラケットとデュアル形式のブラケットとの間で変えることができる。また、６Ｕキャパシティは必ずしもブラケットにより完全に占拠させる必要がないこと、およびブラケットは、装着システムのヒンジ組立体上で１つの位置から他の位置へと交換できることは理解されよう。
【００９２】
或いは、貯蔵ユニットは、非モジュラ装着システムに構成できることも理解されよう。より詳しくは、貯蔵ユニットには、ヒンジ組立体に永久的に取付けられる予め定めた組または範囲のブラケットを設けることができる。一例として、この組は、一般に特定サイズの特定数のコンポーネンツを有するとして知られている特定の電子システムに適した種々のサイズのシングルブラケットとデュアルブラケットとの組合せからなる。或いは、装着システムにブラケットを全く設けないこともでき、この場合には、電子デバイスをヒンジ組立体に直接連結または固定する必要がある。
【００９３】
次に、図１１から図１９を参照して、好ましい実施形態の貯蔵ユニット１０のモジュラ装着システム４０をより詳細に説明する。ヒンジ組立体４４は、好ましくは、相対ヒンジ運動できるように相互連結された隣接する６つのヒンジコンポーネント６０の連鎖で構成するのが好ましい。ヒンジコンポーネント６０の連鎖は、好ましくは、連鎖の端に位置するヒンジコンポーネントの１つにピボット回転可能なように連結された後部取付け板９９を介して、ハウジング内例えばベース板１１に固定する。好ましい実施形態では、ヒンジコンポーネント６０は細長く、約１Ｕ（１．７５インチすなわち４４．４５ｍｍ）に等しい幅を有し、ヒンジコンポーネントの数は、貯蔵ユニットの全キャパシティを有効に規定する。例えば、好ましい実施形態の貯蔵ユニットでは、全部で６Ｕのキャパシティを提供する６つのヒンジコンポーネントが存在する。ユニットのキャパシティの変更は、連鎖にヒンジコンポーネントを付加しまたは連鎖から取外すことにより達成できる。
【００９４】
図１４および図１５に示すように、各ヒンジコンポーネント６０の両側には細長ループ６１、６３が設けられており、これらの細長ループは、隣接するヒンジコンポーネントの補完的細長ループと協働して、共通する相互ロックピボットロッド６５等により形成される垂直ピボット軸線の回りで回転、すなわち、ピボット回転運動することを可能にする。より詳しくは、各ヒンジコンポーネント６０は、一方で上下の細長ループ６１すなわちシリンダと、他方で中央の細長ループ６３すなわちシリンダとからなる。図１５には、例えば２つのヒンジコンポーネント６０が示されており、これらのヒンジコンポーネントは、これらの補完的細長ループ６１、６３により相対的なピボット回転運動できるように一体にピボット連結されている。細長ループ６１、６３は、ピボット回転運動のためのピボット軸線を形成する共通ピボットロッド６５を介して連結されている。より詳しくは、前方ヒンジコンポーネントの上下の細長ループ６１は、後方のヒンジコンポーネントの中央細長ループ６３と整合しており、これにより、ヒンジコンポーネントは、整合した細長ループ６１、６３を通って延びているピボットロッド６５を介して作動可能に連結される。ヒンジコンポーネント６０は、一例として、シングルブラケット６４を支持するものが示されている。
【００９５】
好ましい実施形態では、各ヒンジコンポーネント６０は、単独で、または１つ以上の隣接するヒンジコンポーネントと組合せてまたは協働して、モジュラブラケットを片持ち支持態様で支持するように構成されている。より詳しくは、各ヒンジコンポーネント６０は、シングルであるかデュアルであるかを問わず、１Ｕブラケットを解放可能に支持できる。１Ｕを超えるより大きいサイズのブラケットでは、２つ以上の隣接ヒンジコンポーネントが必要になる。１Ｕより大きいサイズのブラケットには、２つ以上の隣接ヒンジコンポーネントが必要になる。より詳しくは、多数の隣接ヒンジコンポーネントにより支持されるように大きいブラケットが配置される場合は、その数はブラケットの整数倍のＵサイズに等しい。例えば、２Ｕブラケットは２つの隣接ヒンジコンポーネントにより支持され、３Ｕブラケットは３つの隣接ヒンジコンポーネントにより支持され、以下同様にして支持される。このように大きいブラケットを支持する隣接ヒンジコンポーネントは、単一の大きいヒンジコンポーネントと同様に有効に作動するか、単一の大きいヒンジコンポーネントを集合的に形成する。大きいブラケットを支持する場合には、大きいヒンジコンポーネントを形成する個々の各隣接ヒンジコンポーネントは相対移動できないからである。前述のように、ヒンジコンポーネントは、単独でまたは１つ以上の隣接ヒンジコンポーネントと協働して、所望によりブラケットを用いることなく、種々のサイズの電子デバイスを片持ち支持態様で直接支持するように構成することもできる。
【００９６】
好ましい実施形態では、ヒンジ組立体４４のヒンジコンポーネント６０は、単独でまたは１つ以上の隣接ヒンジコンポーネントと組合せて、ブラケットのアタッチメント部分に、強固ではあるが解放可能に連結されるように構成されている。より詳しくは、ヒンジコンポーネントは、ブラケット（単一または複数）を片持ち支持態様で支持する。支持されたブラケットは、前述のように本のページのように、隣接するヒンジコンポーネント間のヒンジ連結、すなわち、ピボット回転可能な連結を介して互いにピボット回転することができる。
【００９７】
ヒンジ組立体４４のヒンジコンポーネント６０は、実質的に同一でありかつ前述のように種々のサイズおよびキャパシティをもつ種々の構成のモジュラブラケットを支持できる。ユーザは、所望に応じてブラケットを互換しかつヒンジ組立体上に一致させて、貯蔵ユニットをこれらの特定システムまたは電子デバイスの集合体に適合するようにカスタマイズできる。図１０に関連して前述したように、貯蔵ユニット１０は、５つのブラケット（４つのモジュラ４２および１つのハイブリッド４２ａ）の特定構造を有するものが示されている。この構造および図１１から図１９を参照して、装着システム４０を一例として更に説明する。前述のように、第一モジュラブラケット６２は１Ｕデュアルブラケットであり、次の３つのモジュラブラケット６４は１Ｕシングルブラケットであり、第五番目のハイブリッドブラケット６６は２Ｕシングルブラケットである。
【００９８】
図１６および図１７に示すように、１Ｕシングルブラケット６４は、好ましくは、後端ガイド７２および前端ガイド７４が設けられた裏当て板７０を有している。後端ガイド７２は、ヒンジ組立体のヒンジコンポーネント６０の１つと確実に係合するように構成されている。例えば、１Ｕシングルブラケット６４の後端ガイド７２は、下方にスライドして単一のヒンジコンポーネント６０の補完部分と係合するように構成され、これにより、ヒンジコンポーネントにより支持されたブラケットを片持ち支持態様でそのままにしておく。この点で、後端ガイド７２は、ヒンジコンポーネント６０の回りのスリーブの機能を遂行する。
【００９９】
好ましくは、前端ガイド７４に手動操作可能なロッキング機構７６が設けられ、このロッキング機構は隣接ブラケットにロックするように操作できる。好ましい実施形態では、ロッキング機構７６はスプリング負荷形ロッキングピン７８を有し、このロッキングピンは、隣接ブラケットのロッキング機構のロッキング孔８０と係合できる。隣接ブラケットがこれらのロッキング機構を介してひとたびロックされると、両ブラケットは、適当なロッキング機構がロッキングピン７８の手動操作によりアンロックされるまで、ヒンジ組立体を介して相対移動できない。好ましくは、各前端ガイド７４にも、隣接ブラケットの補完ガイドスロット７４ｂ内に係合すべく外方に突出してブラケットの整合および一体カップリングを補助するガイドピン７４ａを設ける。
【０１００】
好ましくは、１Ｕシングルブラケットの裏当て板７０は一連のケーブル管理孔７０ａを有し、これらのケーブル管理孔７０ａを通ってケーブルタイが固定され、所望に応じ、当前記ブラケットに装着された電子デバイス内に接続されるケーブルを緊締しかつ案内する。図８および図２０に示すように、長さ方向に沿う一連の孔を備えたケーブル管理バー１０３もヒンジ組立体４４の後方に設けられており、所望に応じて、ケーブルをユニット内に手際良く案内しかつ固定することを可能にする。
【０１０１】
１Ｕシングルブラケット６４の後端ガイド７２および前端ガイド７６は、ラックマウント電子デバイスをブラケット内の所定位置に案内するように構成されている。後端ガイド７２と前端ガイド７４との間の距離は、標準の１９インチラックマウント電子コンポーネンツを収容できるように約１７．７５インチ（４５０．８５ｍｍ）である。１Ｕシングルブラケット６４の全長は約４６５ｍｍおよび深さは約１Ｕである。作動に際し、ユーザは、両ガイド７２、７４の間でブラケットの裏当て板７０に当接させてデバイスを配置することによりラックマウント電子デバイスをブラケット内に設置するか、デバイスの前方パネルがボルトまたは他の緊締コンポーネンツを用いて両ガイド７２、７４の上端部８６に設けられた取付け孔またはねじ山付孔に固定されるブラケット内の確実に保持される位置に載置されるまで、両ガイド７２、７４の間で裏当て板７０に当接させてデバイスを下方にスライドさせることによりラックマウント電子デバイスをブラケット内に設置する。ブラケットから電子デバイスを取外すには、上記プロセスを逆に行う必要がある。或いは、ボルト等の緊締コンポーネンツを用いる必要なくして、電子デバイスをスライドさせてブラケットと確実に係合させる固定レールまたはフランジをガイドに設けることができることは理解されよう。種々の他のブラケット設計を用いて、ラックマウント電子デバイスを他の形態の装着システム内に受入れかつ確実に保持することは理解されよう。例えば、ブラケットは、スナップ嵌合形構造または摩擦嵌合形構造により電子デバイスを受入れかつ保持するように構成できる。
【０１０２】
図１８を参照すると、ここには、好ましい実施形態の貯蔵ユニットの２Ｕシングルハイブリッドブラケット６６が示されている。ハイブリッドブラケット６６は、２つの隣接ヒンジコンポーネント６０ａ、６０ｂと、ハウジングのベース板１１と、ベース板１１に固定された隣接する前端ガイド９０ａ、９０ｂとの間に形成されている。各前端ガイド９０ａ、９０ｂは、図１６および図１７の１Ｕシングルブラケットに関連して説明した前端ガイド７４と実質的に同一である。前端ガイド９０ａ、９０ｂは、１Ｕシングルブラケットの前端ガイド７４に関連して説明したのと同じロッキング機構７６を介して一体にロックされる。好ましい実施形態では、前端ガイド９０ａは、ロッキング機構を介して、ベース板１１に固定された前方取付け板１１ａをロックするように構成されている。より詳しくは、前方取付け板１１ａには、ロッキング機構が係合するロッキング孔が設けられている。好ましい実施形態では、後方取付け板９９がベース板１１に固定されかつ中央細長シリンダが設けられている。この細長シリンダは、ハイブリッドブラケットに取付けられた２Ｕ電子デバイスのピボット回転運動を可能にするロッキングピンを介してヒンジコンポーネント６０ａの後方の上下細長ループ６１と係合する。作動に際し、ユーザは、デバイスの前方パネルがヒンジコンポーネント６０ａ、６０ｂおよび前端ガイド９０ａ、９０ｂの頂部上に載置されるまで、デバイスを、２つの隣接ヒンジコンポーネント６０ａ、６０ｂと前端ガイド９０ａ、９０ｂとの間で下方にスライドさせることにより、２Ｕラックマウント電子デバイスをハイブリッドブラケット６６内に設置できる。この時点で、２Ｕデバイスは、ヒンジコンポーネント６０ａ、６０ｂの上端部および前端ガイド９０ａ、９０ｂに設けられた取付け孔、すなわち、ねじ山付き孔に緊締されるボルトまたは他の緊締コンポーネンツを用いて、所定位置に固定される。この構成では、ヒンジコンポーネント６０ａ、６０ｂは、ベース板１１およびモジュラ前端ガイド９０ａ、９０ｂにより形成されたハイブリッドブラケット構造の補助により、２Ｕデバイスを直接支持する。
【０１０３】
図１９に示すように、デュアル１Ｕブラケット６２は、１Ｕシングルブラケット６４と実質的に同じであるが、デュアル１Ｕブラケット６２には、より大きい裏当て板９４、下方前方の付加ガイド９６および下方後方の付加ガイド９７が設けられており、これによりデュアル１Ｕブラケット６２は、１／２長さの２つのラックマウント電子デバイスを上下に重ねて確実に受入れかつ保持できる点で異なっている。
【０１０４】
図１１は、装着システム４０が開扇形態をなしており、全てのブラケットが互いに分離され、かつ、ピボット回転可能なように連結されているところを示している。この開扇形態では、ヒンジコンポーネント６０の連鎖が実質的に弧状をなしている。図１２および図１３を参照すると、装着システム４０がコンパクトに折畳まれかつ閉じられた形態が示されており、この形態では全てのブラケットが一体化されている。このコンパクト形態では、ヒンジ組立体４４のヒンジコンポーネント６０は実質的に一直線に整合されている。図１２は、電子デバイスが全く装着されていない空の装着システム４０を示し、図１３は、多数の電子デバイス５０、５２、５４が装着されている装着システム４０を示している。
【０１０５】
前述のように、ヒンジ組立体４４のヒンジコンポーネント６０は、ラックマウント電子デバイスを片持ち支持形態で直接支持するか、ラックマウント電子デバイスを受入れかつ保持するように構成された支持ブラケットにより電子デバイスを間接的に支持する。より詳しくは、各ヒンジコンポーネント６０は、このヒンジコンポーネントに直接ねじ止めされた電子デバイスにより１Ｕラックマウントデバイスを直接支持するか、１Ｕラックマウントデバイスを受入れかつ保持するように構成された１Ｕブラケットを支持することにより１Ｕラックマウントデバイスを間接的に支持する。前述のように、２つ以上の隣接ヒンジコンポーネントが一緒に協働して、２Ｕ以上の整数倍サイズを有するラックマウント電子デバイスを直接的または間接的に支持する。より詳しくは、必要とされるヒンジコンポーネントの数は、支持すべきデバイスの整数倍の高さに等しい。従って、他の実施形態では、図１６、図１７および図１９に関連して説明したような別々のブラケットは、必ずしも使用する必要はない。しかしながら、このようなモジュラブラケットの使用により、支持されたコンポーネンツを大量に支持できかつコンパクト形態に一体にロックすることができる。
【０１０６】
作動に際し、ハウジングのドアは、前述のようにユーザにより開かれ、装着システム４０へのアクセスが行える。電子デバイスの装着または取出しのために選択されたブラケットへのアクセスを行うには、前記選択されたブラケットの前方のブラケットに関連するロッキング機構を操作して、選択されたブラケットの前方のブラケットを、選択されたブラケットから離れる方向にピボット回転させ、アクセスする。例えば図１３に示すように、前方の１Ｕデュアルブラケット６２のロッキング機構のロッキングピン７８をアンロック位置に引出すならば、１Ｕデュアルブラケット６２がこの関連ヒンジコンポーネントのピボット軸線（その全体を符号Ｇで示す）の回りで外方にスイングされ（すなわち折畳まれ）、最初の１Ｕシングルブラケット６４へのアクセスを可能にする。既に装着された電子デバイスの装着、取出しまたは維持がひとたび完了したならば、選択されたブラケットの前方のブラケットが後方に移動されて、選択されたブラケットと実質的に当接する関係をなし、次に、確実にロックされて動かないようになる。
【０１０７】
各ブラケットのロッキング機構を操作して、ブラケットまたは隣接するブラケットの群を種々の態様で分離するならば、図１１に示す開扇形態の極端な場合のように、いかなるブラケットも一体にロックされなくなることは理解されよう。
【０１０８】
図２０および図２１を参照すると、ここには、好ましい実施形態の貯蔵ユニット１０のコンポーネンツが部分的または完全に分解された形態でより詳細に例示されている。コンポーネンツは、プラスチック、金属、アルミニウムまたは他の任意の適当な材料およびこれらの材料の任意の組合せにより形成できることは理解されよう。また、図２０および図２１に示したコンポーネンツは貯蔵ユニットの可能な構造の１つに過ぎず、コンポーネンツは、設計条件に基いて他の種々の形態に変更形態できることも理解されよう。
【０１０９】
前述のように、貯蔵ユニット１０は、壁等の上で、図１Ａおよび図１Ｂに示す垂直方向に取付けることができる。貯蔵ユニットはまた、所望に応じ、ベース板１１をフロア、地面または他の水平面上に置いて、地面、フロア、棚またはカップボード上に設置できることも理解されよう。
【０１１０】
図２２から図２５には、貯蔵ユニットの２つの取付けアクセサリおよび組立体が示されている。図２２および図２３を参照すると、貯蔵ユニット１０が壁マウントブラケット１０５上に支持されているところが示されている。作動に際し、壁マウントブラケット１０５が壁等に固定され、次に、貯蔵ユニット１０が壁マウントブラケット１０５に着脱可能に固定される。より詳しくは、壁マウントブラケット１０５は貯蔵ユニット１０のハウジングのベース板１１に当接し、ベース板から延びかつ壁マウントブラケット１０５の補完スロット１０９と固定係合できる孔フック１０７を介して貯蔵ユニット１０を支持するように構成されている。貯蔵ユニット１０のフック１０７は、図１Ｂにも示されている。
【０１１１】
図２４および図２５には、貯蔵ユニット１０が自立フレーム１１１により支持されているところが示されている。例えば、自立支持フレーム１１１は、図２２および図２３で説明した壁マウントブラケット１０５を有し、貯蔵ユニット１０は同様にして着脱可能に支持される。自立支持フレーム１１１は、貯蔵ユニット１０のための荷重支持壁または垂直面を全く利用できない状況で有効である。
【０１１２】
図２６および図２７には、外部空調ユニットの空調ダクトを、ハウジングのベース板１１の上方スロット５８ａおよび下方スロット５８ｂに連結するためのマニホルドコンポーネンツ１１３の一例が示されている。図２３に示すように、壁マウントブラケット１０５には、ベース板１１の上方スロット５８ａおよび下方スロット５８ｂに整合する補完スロット１１０が設けられている。図２６および図２７に示すように、マニホルドコンポーネンツ１１３は、これらが、壁マウントブラケット１０５の補完スロット１１０を介してベース板１１の上方スロット５８ａおよび下方スロット５８ｂに連結されるようにして、壁マウントブラケット１０５の背部に固定される。
【０１１３】
図２８および図２９には、貯蔵ユニット用の他の実施形態による装着システム１２０が示されている。この装着システム１２０は、前述の好ましい実施形態の装着システム４０に代えて貯蔵ユニットに使用できる。装着システム１２０の全体的機能および作動は装着システム４０と同様であるが、主な相違点を以下に説明する。装着システム１２０のヒンジ組立体のヒンジコンポーネント１２１は好ましい実施形態の装着システム４０に関連して説明したヒンジコンポーネントと同様であるが、ブラケット１２２の形状は変更されている。第一ブラケットは１Ｕデュアルブラケット、次の３つのブラケットは１Ｕシングルブラケット、第五番目のブラケットは２Ｕシングルブラケットである。これらのブラケットはモジュラであり、各ブラケットは、１つ以上のヒンジコンポーネント１２１と確実にかつスライド可能に係合するスリーブとして配置された２つの後端ガイド１２４を有している。より詳しくは、４つの前方１Ｕブラケットの各々は、ヒンジ組立体のシングルヒンジコンポーネント１２１と確実に係合するように構成されている。２Ｕブラケットはより大きく、かつその後端ガイドはより大きくかつ２つの隣接ヒンジコンポーネント１２１と確実に係合してこれらの２つのヒンジコンポーネントを１つのヒンジコンポーネントとして一体にロックするように構成されている。
【０１１４】
各ブラケット１２２はまた、隣接ブラケットの同様なロッキング機構と係合するロッキング機構を備えた前端ガイド１２６を有している。例えば、各ロッキング機構は、ブラケットを一体に固定すべく隣接ブラケットの補完ロッキングバレル１３０内に係合するように構成された垂直方向に作動できるロッキングピン１２８を有している。１Ｕおよび２Ｕのシングルブラケットにもデバイス支持バー１３２が設けられている。好ましい実施形態では、デバイス支持バー１３２は、半曲げＵ形端部を形成すべく合体する２本の平行レールを形成する形状を有する１つのロッドから形成される。また、デバイス支持バー１３２の長さに沿って、多数の弾性クッションコンポーネンツ１３４が設けられており、これらのクッションコンポーネンツ１３４上にラックマウント電子デバイスが載置される。好ましい形態では、弾性クッションコンポーネンツ１３４は弾性材料からなるループ状部材であり、ループはまた、電子デバイスに接続されるケーブルを管理するガイドを形成する。異なるサイズのブラケットの任意の混合体を形成するのに、他の実施形態の装着システム１２０を配置できることは理解されよう。ブラケットの整数倍のＵサイズは、ブラケットを支持するのに必要とされかつひとたびブラケットが装着されたときに一体にロックされる隣接ヒンジコンポーネント１２１の数に等しい。１Ｕブラケットの場合には、単一のヒンジコンポーネント１２１のみで済む。
【０１１５】
他の実施形態では、貯蔵ユニットまたは貯蔵組立体は、本質的に、装着システムを包囲する関連ハウジングを備えていない装着システムのみで構成できる。このような実施形態では、装着システムは、壁のような垂直面に直接固定でき、またはフロア上に貯蔵しまたは壁に固定するのではなく、取付け板、ベース板等に固定することもできる。このような装着システム自体は、環境的な調節が厳格でない場所で使用される。
【産業上の利用可能性】
【０１１６】
要するに、本発明の貯蔵ユニットは、種々の高さおよびサイズの多数のラックマウント電子デバイスを収容できる。貯蔵ユニットは壁に取付けられるように構成されており、或いは室内のような適当な場所内の地上に置くこともできる。貯蔵ユニットは、システムの一部を形成する多数の電子デバイス、または同じ近傍に貯蔵する必要がある小グルーブの独立電子デバイスを収容しかつ装着する有効なシステムである。一例として、本発明の貯蔵ユニットは、小型のコンピュータサーバシステムまたは比較的少数のコンポーネンツを備えた他の任意のシステムを収容するのに使用される。より詳しくは、本発明の貯蔵ユニットは、電気通信、コンピュータ産業およびエンターテインメント産業並びに他の産業に使用できるが、これらに限定されるものではない。
【０１１７】
本発明の上記説明はその好ましい形態についてのものであり、特許請求の範囲の記載により定められた本発明の範囲から逸脱することなく、本発明に種々の変更を行うことができる。
【符号の説明】
【０１１８】
１０  貯蔵ユニット
１１  ベース板
１２  上方ドア
１３  下方ドア
４０  装着システム
４２  ブラケット
４２ａ  ハイブリッドブラケット
４４  ヒンジ組立体
６０  ヒンジコンポーネント
６４  モジュラブラケット
【図１Ａ】
0005622221.tif 000002
【図１Ｂ】
0005622221.tif 000003
【図２】
0005622221.tif 000004
【図３】
0005622221.tif 000005
【図４】
0005622221.tif 000006
【図５】
0005622221.tif 000007
【図６】
0005622221.tif 000008
【図７】
0005622221.tif 000009
【図８】
0005622221.tif 000010
【図９】
0005622221.tif 000011
【図１０】
0005622221.tif 000012
【図１１】
0005622221.tif 000013
【図１２】
0005622221.tif 000014
【図１３】
0005622221.tif 000015
【図１４】
0005622221.tif 000016
【図１５】
0005622221.tif 000017
【図１６】
0005622221.tif 000018
【図１７】
0005622221.tif 000019
【図１８】
0005622221.tif 000020
【図１９】
0005622221.tif 000021
【図２０】
0005622221.tif 000022
【図２１】
0005622221.tif 000023
【図２２】
0005622221.tif 000024
【図２３】
0005622221.tif 000025
【図２４】
0005622221.tif 000026
【図２５】
0005622221.tif 000027
【図２６】
0005622221.tif 000028
【図２７】
0005622221.tif 000029
【図２８】
0005622221.tif 000030
【図２９】
0005622221.tif 000031